(57)【特許請求の範囲】
【請求項１】
相互に関連する複数のデータファイルを備えたサーバとの間にて所定の通信手順に従い通信を実行するサーバ通信手段と、
上記サーバ通信手段を介して読み出されたデータファイルに記述されている語句を抽出し、抽出回数の多い語句から昇順に順位付けしたキーワードリストを生成し、上記読み出されたデータファイルに記述されているタグであってリンク先の別のデータファイルを表示させるためのリンク表示タグの画面上での表示語句のうち、上記キーワードリストの語句と一致し或いはこの語句を含む表示語句を抽出し、この抽出した表示語句に対応するリンク先のＵＲＬを上記キーワードリストの順位に従ってリスト化してＵＲＬリストを作成し記憶するリスト記憶手段と、
上記ＵＲＬリストのＵＲＬに該当するデータファイルをＵＲＬリストの順位に基づいて上記サーバ通信手段を介して取得するデータファイル取得手段と、
上記データファイル取得手段が取得したデータファイルを格納するデータファイル格納手段とを具備することを特徴とする画面表示データ読込装置。
【請求項２】
上記請求項１に記載の画面表示データ読込装置において、
上記リスト記憶手段は、外部からのキーワードの入力の操作に応じて複数のキーワードを順位付けして格納するキーワード設定手段を有するとともに、上記読み出されたデータファイルに記述されているリンク表示タグの表示語句のうち、上記格納されたキーワードと一致し或いはこのキーワードを含む表示語句を抽出し、この抽出した表示語句に対応するリンク先のＵＲＬを上記格納されたキーワードの順位に従ってリスト化してＵＲＬリストを作成し記憶することを特徴とする画面表示データ読込装置。
【請求項３】
相互に関連する複数のデータファイルを備えたサーバとの間にて所定の通信手順に従い通信を実行するサーバ通信手段と、
外部からの指示に応じてＵＲＬを記録するブックマーク手段と、
上記サーバ通信手段を介して読み出されたデータファイルに記述されているタグであってリンク先の別のデータファイルを表示させるためのリンク表示タグの画面上での表示語句と、上記ブックマーク手段によって記録されているＵＲＬについての見出し文とを対象として語句を抽出し、抽出回数の多い語句から昇順に順位付けしたキーワードリストを生成し、上記読み出されたデータファイルに記述されているリンク表示タグの表示語句および上記ブックマーク手段によって記録されているＵＲＬについての見出し文のうち、上記キーワードリストのキーワードと一致し或いはこのキーワードを含む表示語句および見出し文を抽出し、この抽出した表示語句と見出し文に対応するリンク先のＵＲＬを上記キーワードリストの順位に従ってリスト化してＵＲＬリストを作成し記憶するリスト記憶手段と、
上記ＵＲＬリストのＵＲＬに該当するデータファイルをＵＲＬリストの順位に基づいて上記サーバ通信手段を介して取得するデータファイル取得手段と、
上記データファイル取得手段が取得したデータファイルを格納するデータファイル格納手段とを具備することを特徴とする画面表示データ読込装置。
【請求項４】
相互に関連する複数のデータファイルを備えたサーバとの間にて所定の通信手順に従い通信を実行するサーバ通信手段と、
外部からの指示に応じてＵＲＬを記録するブックマーク手段と、
外部からのキーワードの入力の操作に応じて複数のキーワードを順位付けして格納するキーワード設定手段を有するとともに、上記サーバ通信手段を介して読み出されたデータファイルに記述されているタグであってリンク先の別のデータファイルを表示させるためのリンク表示タグの画面上での表示語句および、上記ブックマーク手段によって記録されているＵＲＬについての見出し文のうち、上記キーワードと一致し或いはこのキーワードを含む表示語句および又は見出し文を抽出し、この抽出した表示語句および又は見出し文に対応するリンク先のＵＲＬを上記キーワードの順位に従ってリスト化してＵＲＬリストを作成し記憶するリスト記憶手段と、
上記ＵＲＬリストのＵＲＬに該当するデータファイルをＵＲＬリストの順位に基づいて上記サーバ通信手段を介して取得するデータファイル取得手段と、
上記データファイル取得手段が取得したデータファイルを格納するデータファイル格納手段とを具備することを特徴とする画面表示データ読込装置。
【発明の詳細な説明】
【０００１】
【発明の属する技術分野】
本発明は、画面表示データ読込装置に関し、特に、画面に表示するデータを前以って読み出す画面表示データ読込装置に関する。
【０００２】
【従来の技術】
近年、インターネットが一般的になることにより、ＷＷＷ（Ｗｏｒｌｄ  Ｗｉｄｅ  Ｗｅｂ）サーバを利用した情報提供やサービスの提供が定着しつつある。これにともない、ブラウザがＷＷＷサーバにアクセスするのための標準アプリケーションになってきている。このブラウザはインターネットの標準であるＨＴＴＰプロトコルによりＷＷＷサーバにアクセスし、そこで公開されているＨＴＭＬ形式のデータを取得し、その内容を表示する機能を備えている。さらに、利用者がＨＴＭＬデータ内に定義されているリンク先のＵＲＬを取得し、選択することにより、そのリンク先に格納されている該当するＨＴＭＬデータの内容を表示する機能を持っている。ここで、ブラウザは、利用者がＨＴＭＬデータ内に定義されているリンク先のＵＲＬを指定すると、このＵＲＬに従って同一のＷＷＷサーバあるいは別のＷＷＷサーバに格納されている所定のＨＴＭＬデータに表示を切換える。利用者は、この機能を利用することにより、ＷＷＷサーバに格納されるさまざまな情報やサービスにアクセスするとともに、所望のＨＴＭＬデータを閲覧することが可能になっている。
【０００３】
このように、ＷＷＷサーバが一般的になってはいるものの、ＨＴＭＬデータを表示するパソコン等の端末装置での処理速度に比べ、ＷＷＷサーバとこの端末装置を接続する回線におけるデータ転送の処理速度は非常に遅いものになっている。しかし、利用者がブラウザによって表示されているＨＴＭＬデータの内容を閲覧している間、回線上ではデータ転送が行われないか、データ転送量が非常に少なくなっている。このように、回線においては常時最大容量を利用するデータ転送が行われているわけではない。従って、このデータ転送がない期間またはデータ転送量が少なくなる期間を利用して、データ転送を実行することにより、回線容量を最大限に利用することが可能になる。
【０００４】
そこで、従来の画面表示データ読込装置は、ブラウザがＨＴＭＬデータに埋め込まれたリンク先のＵＲＬに遡ってデータを表示する原理に着目し、ブラウザが表示しているＨＴＭＬデータに記述されている複数のリンク先について、先頭のＵＲＬから順次、対応するＷＷＷサーバに格納されている所定のＨＴＭＬデータを先行して読み込み、ブラウザが備えるキャッシュ等に格納するようになっている。このようにして、利用者がリンク先のＵＲＬを選択したときに、ブラウザはＷＷＷサーバからデータ転送を実行しないで、先行して読み込まれ格納されたキャッシュから読み込むことにより表示を実行し、表示切換え時間を高速にすることが可能になっている。
【０００５】
また、同様の効果を実現するために、別の画面表示データ読込装置においては、利用者がブラウザに記録させたＵＲＬ（ブックマークしたＵＲＬということもある。）に該当するＨＴＭＬデータを対象として、この記録されたＵＲＬの先頭から順番に先行して読み込んだりしているものもある。さらに、ブラウザが表示するＵＲＬを監視するとともに記録し、最近のアクセス回数の多いＵＲＬの順番に先行して読み込んだりしているものもある。
【０００６】
【発明が解決しようとする課題】
上述した従来の画面表示データ読込装置においては、次のような課題がある。
すなわち、表示しているＨＴＭＬデータ内に記述されているリンク先のＵＲＬの先頭から順番に先読みするため、優先して閲覧したいリンク先がこのＨＴＭＬデータ内の後ろの方に記述されていると、先読みされる可能性が低くなるといった課題がある。また、記録したＵＲＬについて先読みを行うと、現在表示しているＨＴＭＬデータとは何ら関連のないものが先読みされることになり、実用的でない。さらに、最近のアクセス回数の多いものを自動的に先読みする場合にも同様の課題がある。
【０００７】
本発明は、上記課題にかんがみてなされたもので、先読みすることにより利用者のＨＴＭＬデータ読み出し待機時間を短縮することが可能であるとともに、利用者が閲覧する可能性の高いＨＴＭＬデータを先読みすることが可能である画面表示データ読込装置の提供を目的とする。
【０００８】
【課題を解決するための手段】
上記目的を達成するために、請求項１にかかる発明は、相互に関連する複数のデータファイルを備えたサーバとの間にて所定の通信手順に従い通信を実行するサーバ通信手段と、上記サーバ通信手段を介して読み出されたデータファイルに記述されている語句を抽出し、抽出回数の多い語句から昇順に順位付けしたキーワードリストを生成し、上記読み出されたデータファイルに記述されているタグであってリンク先の別のデータファイルを表示させるためのリンク表示タグの画面上での表示語句のうち、上記キーワードリストの語句と一致し或いはこの語句を含む表示語句を抽出し、この抽出した表示語句に対応するリンク先のＵＲＬを上記キーワードリストの順位に従ってリスト化してＵＲＬリストを作成し記憶するリスト記憶手段と、上記ＵＲＬリストのＵＲＬに該当するデータファイルをＵＲＬリストの順位に基づいて上記サーバ通信手段を介して取得するデータファイル取得手段と、上記データファイル取得手段が取得したデータファイルを格納するデータファイル格納手段とを具備する構成としてある。
【０００９】
上記のように構成した請求項１にかかる発明において、上記データファイル取得手段は、上記サーバ通信手段を介して上記サーバに格納されている複数のデータファイルを関連付けて読み出すとともに、主となるデータファイルを表示している。また、このデータファイルは所定の言語により記述されており、画像データや文字コードの表示が可能になっている。文字コードはこのデータファイルに記述されていることもあるが、画像データは別の画像データファイルに格納され、このデータファイル内に記述されている画像呼び出し制御文により画像データファイルが読み出され表示可能になる。
【００１０】
上記リスト記憶手段は、上記サーバ通信手段を介して読み出されたデータファイルに記述されている語句を抽出し、抽出回数の多い語句から昇順に順位付けしたキーワードリストを生成し、上記読み出されたデータファイルに記述されているタグであってリンク先の別のデータファイルを表示させるためのリンク表示タグの画面上での表示語句のうち、上記キーワードリストの語句と一致し或いはこの語句を含む表示語句を抽出し、この抽出した表示語句に対応するリンク先のＵＲＬを上記キーワードリストの順位に従ってリスト化してＵＲＬリストを作成し記憶する。ここで、上述したデータファイル取得手段は、このＵＲＬリストのＵＲＬに該当するデータファイルを、ＵＲＬリストの順位に基づいて上記サーバ通信手段を介して上記サーバから取得する。データファイルは順次、サーバから読み出され、上記データファイル格納手段に格納されていく。
【００１１】
すなわち、利用者が所定のデータファイルに記述されているＵＲＬを指定したときに、上記データファイル取得手段がサーバにアクセスして該当するデータファイルを読み出すのではなく、このデータファイル取得手段は読み出した所定のデータファイルに記述されているＵＲＬに基づいて、利用者の指定とは別にサーバから先読みを実行しつつ上記データファイル格納手段に格納することにより、利用者は、このデータファイル格納手段からデータファイルを読み出す。
【００１２】
ここにおいて、上記データファイル取得手段が読み出す上記データファイルの形式は各種の形式のものを適用可能である。例えば、代表的なものでは、ＨＴＭＬファイルを挙げることができる。また、上記リスト記憶手段がリストを記憶する領域と、上記データファイル格納手段がデータファイルを格納する領域とは、論理的に異なった領域であればよく、同一の物理的領域であってもかまわないし、異なった物理的領域であってもかまわない。
【００１３】
上記リスト記憶手段がデータファイルに記述されている複数のＵＲＬをリスト化する方法は多種の手法が採用可能であり、その具体的な一例として、請求項２にかかる発明は、請求項１に記載の画面表示データ読込装置において、上記リスト記憶手段は、外部からのキーワードの入力の操作に応じて複数のキーワードを順位付けして格納するキーワード設定手段を有するとともに、上記読み出されたデータファイルに記述されているリンク表示タグの表示語句のうち、上記格納されたキーワードと一致し或いはこのキーワードを含む表示語句を抽出し、この抽出した表示語句に対応するリンク先のＵＲＬを上記格納されたキーワードの順位に従ってリスト化してＵＲＬリストを作成し記憶する構成としてある。
【００１４】
上記のように構成した請求項２にかかる発明においては、キーワード設定手段は、外部からのキーワードの入力の操作に応じて複数のキーワードを順位付けして格納する。そして、上記リスト記憶手段は、上記読み出されたデータファイルに記述されているリンク表示タグの表示語句のうち、上記格納されたキーワードと一致し或いはこのキーワードを含む表示語句を抽出し、この抽出した表示語句に対応するリンク先のＵＲＬを上記格納されたキーワードの順位に従ってリスト化してＵＲＬリストを作成し記憶する。
【００１５】
この記憶されたリストに基づいて上記データファイル取得手段は、上記サーバ通信手段を介してこのリストの上位順から順次ＵＲＬに該当するデータファイルを読み込み、上記データファイル格納手段に格納していく。そして、利用者は、ＵＲＬが記述されているデータファイルからリンク先を指定するとこのデータファイル格納手段によって格納されたデータファイルが読み出されることになる。
ここで、キーワードは、漢字であってもよいし、英数字であってもよい。また、これらに限定されるものではなくコンピュータ等において識別可能なものであればよい。
また、設定したキーワードと完全同一のものを基準として検索することに限られることはなく、このキーワードの同義語や関連のある語句に基づいて検索を実行するものであってもよい。従って、設定したキーワードの意味内容から所定の手法により検索対象を拡張することができるものであればその手法は適宜採用可能である。
【００１６】
【００１７】
【００１８】
【００１９】
ところで、利用者はサーバに格納されているデータファイルであって、よく利用するものについては、このデータファイルのＵＲＬを予め登録する。そして、この登録されたＵＲＬを所定の操作により選択すると、上記データファイル取得手段はこの選択されたＵＲＬに該当するデータファイルを上記サーバ通信手段を介して上記サーバから取得するとともに上記データファイル格納手段に格納する。ここで、この予め設定されたＵＲＬも先読みの対象とすると、よく利用するＵＲＬのデータファイルが先読みされることになり、利用者はこの予め登録されたＵＲＬを選択したときに、すばやくデータファイルの内容を確認することが可能になるため都合がよい。
【００２０】
そこで、請求項３にかかる発明は、相互に関連する複数のデータファイルを備えたサーバとの間にて所定の通信手順に従い通信を実行するサーバ通信手段と、外部からの指示に応じてＵＲＬを記録するブックマーク手段と、上記サーバ通信手段を介して読み出されたデータファイルに記述されているタグであってリンク先の別のデータファイルを表示させるためのリンク表示タグの画面上での表示語句と、上記ブックマーク手段によって記録されているＵＲＬについての見出し文とを対象として語句を抽出し、抽出回数の多い語句から昇順に順位付けしたキーワードリストを生成し、上記読み出されたデータファイルに記述されているリンク表示タグの表示語句および上記ブックマーク手段によって記録されているＵＲＬについての見出し文のうち、上記キーワードリストのキーワードと一致し或いはこのキーワードを含む表示語句および見出し文を抽出し、この抽出した表示語句と見出し文に対応するリンク先のＵＲＬを上記キーワードリストの順位に従ってリスト化してＵＲＬリストを作成し記憶するリスト記憶手段と、上記ＵＲＬリストのＵＲＬに該当するデータファイルをＵＲＬリストの順位に基づいて上記サーバ通信手段を介して取得するデータファイル取得手段と、上記データファイル取得手段が取得したデータファイルを格納するデータファイル格納手段とを具備する構成としてある。
【００２１】
上記のように構成した請求項３にかかる発明においては、外部からの指示に応じてＵＲＬを記録するブックマーク手段を備えている。そして、上記リスト記憶手段が、上記サーバ通信手段を介して読み出されたデータファイルに記述されているタグであってリンク先の別のデータファイルを表示させるためのリンク表示タグの画面上での表示語句と、上記ブックマーク手段によって記録されているＵＲＬについての見出し文とを対象として語句を抽出し、抽出回数の多い語句から昇順に順位付けしたキーワードリストを生成する。さらに、上記読み出されたデータファイルに記述されているリンク表示タグの表示語句および上記ブックマーク手段によって記録されているＵＲＬについての見出し文のうち、上記キーワードリストのキーワードと一致し或いはこのキーワードを含む表示語句および見出し文を抽出し、この抽出した表示語句と見出し文に対応するリンク先のＵＲＬを上記キーワードリストの順位に従ってリスト化してＵＲＬリストを作成し記憶する。
【００２２】
ここで、上述したデータファイル取得手段は、上記ＵＲＬリストのＵＲＬに該当するデータファイルをＵＲＬリストの順位に基づいて上記サーバ通信手段を介して取得する。そして、この取得されたデータファイルは上記データファイル格納手段に順次格納される。
【００２３】
すなわち、利用者が所定のデータファイルに記述されているＵＲＬを指定したときに、上記データファイル取得手段がサーバにアクセスして該当するデータファイルを読み出すのではなく、このデータファイル取得手段が読出した所定のデータファイルに記述されているＵＲＬに基づいて、利用者の指定とは別にサーバから先読みを実行しつつ上記データファイル格納手段に格納することにより、利用者は、このデータファイル格納手段からデータファイルを読み出す。
【００２４】
このようにブックマーク手段で予め登録したＵＲＬを利用する他の一例として、請求項４にかかる発明は、相互に関連する複数のデータファイルを備えたサーバとの間にて所定の通信手順に従い通信を実行するサーバ通信手段と、外部からの指示に応じてＵＲＬを記録するブックマーク手段と、外部からのキーワードの入力の操作に応じて複数のキーワードを順位付けして格納するキーワード設定手段を有するとともに、上記サーバ通信手段を介して読み出されたデータファイルに記述されているタグであってリンク先の別のデータファイルを表示させるためのリンク表示タグの画面上での表示語句および、上記ブックマーク手段によって記録されているＵＲＬについての見出し文のうち、上記キーワードと一致し或いはこのキーワードを含む表示語句および又は見出し文を抽出し、この抽出した表示語句および又は見出し文に対応するリンク先のＵＲＬを上記キーワードの順位に従ってリスト化してＵＲＬリストを作成し記憶するリスト記憶手段と、上記ＵＲＬリストのＵＲＬに該当するデータファイルをＵＲＬリストの順位に基づいて上記サーバ通信手段を介して取得するデータファイル取得手段と、上記データファイル取得手段が取得したデータファイルを格納するデータファイル格納手段とを具備する構成としてある。
【００２５】
上記のように構成した請求項４にかかる発明においては、上記サーバ通信手段は、相互に関連する複数のデータファイルを備えたサーバとの間にて所定の通信手順に従い通信を実行する。また、上記ブックマーク手段は、外部からの指示に応じてＵＲＬを記録していおり、リスト記憶手段は、外部からのキーワードの入力の操作に応じて複数のキーワードを順位付けして格納するキーワード設定手段を有するとともに、上記サーバ通信手段を介して読み出されたデータファイルに記述されているタグであってリンク先の別のデータファイルを表示させるためのリンク表示タグの画面上での表示語句および、上記ブックマーク手段によって記録されているＵＲＬについての見出し文のうち、上記キーワードと一致し或いはこのキーワードを含む表示語句および又は見出し文を抽出し、この抽出した表示語句および又は見出し文に対応するリンク先のＵＲＬを上記キーワードの順位に従ってリスト化してＵＲＬリストを作成し記憶する。そして、上記データファイル取得手段は、上記ＵＲＬリストのＵＲＬに該当するデータファイルをＵＲＬリストの順位に基づいて上記サーバ通信手段を介して取得するとともに、上記データファイル格納手段に順次格納していく。
【００２６】
また、利用者のサーバへのアクセス状況を分析し、このアクセス状況の応じてリンク先設定データを決定し、この決定したリンク先設定データからデータファイルを先読みすることができると、利用者の使用態様に対応することが可能になり好適である。そこで、相互に関連する複数のデータファイルを備えたサーバとの間にて所定の通信手順に従い通信を実行するサーバ通信手段と、上記サーバ通信手段を介して上記サーバから所定のデータファイルが読み出されると、所定の読出情報を履歴する履歴手段と、上記履歴手段に履歴されている所定の読出情報に基づいて、上記サーバ通信手段を介して上記サーバからデータファイルを読み出す読出制御情報を作成する読出制御情報作成手段と、上記読出制御情報作成手段にて作成した読出制御情報に基づいて所定のデータファイルを上記サーバ通信手段を介して取得するデータファイル取得手段と、上記データファイル取得手段が取得したデータファイルを格納するデータファイル格納手段とを具備する構成としてもよい。
【００２７】
上記構成においては、サーバ通信手段は、相互に関連する複数のデータファイルを備えたサーバとの間にて所定の通信手順に従い通信を実行する。そして、履歴手段は、上記サーバ通信手段を介して上記サーバから所定のデータファイルが読み出されると、所定の読出情報を履歴する。
ここで、読出制御情報作成手段は、上記履歴手段に履歴されている所定の読出情報に基づいて、上記サーバ通信手段を介して上記サーバからデータファイルを読み出す読出制御情報を作成する。そして、データファイル取得手段は、上記読出制御情報作成手段にて作成した読出制御情報に基づいて所定のデータファイルを上記サーバ通信手段を介して取得するとともに、データファイル格納手段は、上記データファイル取得手段が取得したデータファイルを格納する。
ここで、上記履歴手段にて履歴する読出情報は、データファイルが読み出されたときの、アクセス状況が把握できるものであればよく、読み出した日付や時刻であればよい。また、この読出情報から作成される読出制御情報とは、アクセス間隔やアクセスされたリンク先設定データごとのアクセス頻度であり、データファイル取得手段は、このアクセス間隔あるいはアクセス頻度から所定のサーバより所定のデータファイルを取得する。
【００２８】
【発明の効果】
以上説明したように本発明は、所定のデータファイルに記述されている語句のうち出現頻度が高い語句をキーワードにして、利用者の利用する可能性が高いＨＴＭＬデータを先読みすることが可能であるとともに、利用者が回線の読み出し速度を短縮することが可能な画面表示データ読込装置を提供することができる。
また、請求項２にかかる発明によれば、利用者が見たいと思うキーワードを表示語句に含むリンク表示タグのリンク先のデータファイルを先読みしておくことを可能にすることができる。
【００２９】
さらに、請求項３にかかる発明によれば、ブックマーク手段にて登録したＵＲＬとキーワードを利用することによりブックマーク手段にて登録したＵＲＬも先読みの対象とすることができる。
さらに、請求項４にかかる発明によれば、利用者が見たいと思うキーワードを表示語句に含むリンク表示タグのリンク先のデータファイルと、かかるキーワードを見出し文に含むブックマーク手段にて登録されているＵＲＬのリンク先のデータファイルを先読みしておくことができる。
さらに、利用者のリンク先設定データの利用態様に対応したＨＴＭＬデータを先読みすることが可能になる。
【００３０】
【発明の実施の形態】
以下、図面にもとづいて本発明の実施形態を説明する。
図１は本発明の一実施形態にかかる画面表示データ読込装置をクレーム対応図により示しており、図２は本画面表示データ読込装置が広域ネットワークに接続される全体像を概略的に示している。
本画面表示データ読込装置１０は、サーバ通信手段Ｃ１と、データファイル取得手段Ｃ２と、リスト記憶手段Ｃ３と、データファイル格納手段Ｃ４と、検索文字設定手段Ｃ５とを備えている。
【００３１】
ここで、サーバ通信手段Ｃ１は、広域ネットワーク網５０と通信回線６０を介してＷＷＷ（Ｗｏｒｌｄ  Ｗｉｄｅ  Ｗｅｂ）サーバ７０に対して能動的にアクセスしてＷＷＷサーバ７０と接続されたときにＷＷＷサーバ７０と通信する。
データファイル取得手段Ｃ２は、このサーバ通信手段Ｃ１を介してＷＷＷサーバ７０に格納されているデータファイルを取得する。検索文字設定手段Ｃ５は、所定の形式にて任意の文字コードを入力可能になっている。そして、リスト記憶手段Ｃ３は、この取得したデータファイルを読み込むとともに、このデータファイルに記述されていて指定することにより他のデータファイルにアクセス可能なリンク設定制御文を後述する手法により抽出するとともに、さらにこの抽出したリンク設定制御文から検索文字設定手段Ｃ５にて設定された文字コードを含むものを抽出し、この抽出したリンク設定制御文の順位付けを行いつつ、優先順位をもって並べられたリストを作成し記憶する。データファイル格納手段Ｃ４は、このリストの優先順に従ってデータファイル取得手段Ｃ２が所定のＷＷＷサーバ７０から順次読み出したデータファイルを格納する。
【００３２】
また、広域ネットワーク網５０は、一般的にインターネットなどが該当し、ＷＷＷサーバ７０は所定のＵＲＬアドレスを割り当てられる。そして、当該ＵＲＬアドレスに基づいて画面表示データ読込装置１０が能動的にアクセスしてきた場合に必要な情報を取得させる。このような情報の発信、取得の形態はさまざまであるが、ＷＷＷサーバ７０がＷＥＢサイトであるとすると、発信するデータファイルには、概ねＨＴＭＬファイルやリソースデータファイルなどの各種情報が含まれている。
【００３３】
一方、このような広域ネットワーク網５０に利用される通信回線６０は電気的なものや光利用のものが可能であるし、各種の媒体変換装置を介して接続されている。インターネットであればイーサネットケーブル６１による直接接続という手法も可能であるし、あるいはプロバイダ６２に対して公衆電話回線６３を介してダイアルアップ接続することも可能であり、この場合にはプロバイダ６２や公衆電話回線６３も通信回線６０の一部に含まれることになる。むろん社内ＬＡＮ６４を介して接続される場合にはこのような社内ＬＡＮ６４やルータ６５なども通信回線６０の一部に含まれることになる。
【００３４】
ここで、図３にＷＷＷサーバ７０の概略構成を示す。
同図において、ＷＷＷサーバ７０本体は、図示しないＣＰＵやＲＯＭやＲＡＭといった電子部品が搭載されたメインボード７０ａを備えており、このメインボード７０ａ上で所定のオペレーティングシステムを実行することにより、ネットワークインターフェイス７０ｂを介して広域ネットワーク網５０との間で通信したり、ハードディスク７２にアクセスしたりする。また、このハードディスク７２には、複数のＨＴＭＬファイルやリソースデータファイルが格納されている。  ここで、ＷＷＷサーバ７０に格納されているＨＴＭＬファイルは、スクリプト形式のファイルであり、そのファイルには所定の文字列を画面表示させたり、ＨＴＭＬファイル外部の画像データファイルにかかる画像を画面表示させるための「タグ」と呼ばれる制御文が記述されており、「ブラウザ」と呼ばれるコマンドインタプリタ型のプログラムを用いて対象となるＨＴＭＬファイルを読み込んで記述内容を解析し、その解析結果に基づいて画面表示するようになっている。なお、上述したリソースデータファイルとは、ＨＴＭＬファイルから参照する画像データファイルや音声データファイルなどのデータファイルであり、これらをまとめてリソースデータファイルと呼び、ＨＴＭＬファイル内にてこれらのリソースデータファイルを参照するタグをリソースデータ参照タグと呼ぶ。
【００３５】
また、ＨＴＭＬファイル内に他のＨＴＭＬファイルの所在を所定のタグを用いて記述しておくと、ブラウザの表示画面上に所定の文字列としてマウスなどのポインティングデバイスによるクリック入力が可能となるように表示することができる。そして、実際にかかるクリック入力が行われると、ブラウザがそのクリックイベントを検知して対応するＨＴＭＬファイルの所在に基づいて新たにそのＨＴＭＬファイルを読み込み、記述内容を解析して表示内容を更新する。このタグが上述したリンク設定制御文に該当する。以下、このタグのことをリンク表示タグと呼ぶ。
【００３６】
一方、画面表示データ読込装置１０自体は、図４に示すようなコンピュータ端末１００で構成することができる。コンピュータ端末１００は、ＣＰＵ１１１やＲＯＭ１１２やＲＡＭ１１３やＩ／Ｏ１１４などを備えるコンピュータ１１０とともに、モニタ１２０やキーボード１３０やマウス１４０といった主構成装置とともに、フロッピーディスクドライブ１５０や、ハードディスクドライブ１６０や、ＣＤ−ＲＯＭドライブ１７０といった外部記憶装置が含まれ、さらには、上述した通信回線６０に接続するためのモデム１８０やＬＡＮアダプタ１９０などから構成されている。
【００３７】
コンピュータ端末１００は上述したハードウェアユニットが後述するソフトウェアを実行して各種の処理を実現するものであるから、相互に一体となって画面表示データ読込装置１０を構成していると言える。すなわち、上述したように用意されたハードウェア資源をソフトウェアによって最大限に利用することにより、不可分一体となって図１に示すようなサーバ通信手段Ｃ１やデータファイル取得手段Ｃ２やリスト記憶手段Ｃ３や検索文字設定手段Ｃ５やデータファイル格納手段をＣ４を実現している。
【００３８】
ここで、図５を参照すると、ハードディスクドライブ１６０にはオペレーティングシステム１６０ａと、ダイヤルアップツール１６０ｂと、ブラウザ１６０ｃと、先読みツール１６０ｄなどの各種ソフトウェアが記憶されている。
ここにおいて、オペレーティングシステム１６０ａは、上述したようにメインボード７０ａにて実行されて各種の機能を実現するものであり、実際にはコンピュータ端末１００の起動時にメインボード７０ａ上に読み込まれる。また、ダイヤルアップツール１６０ｂは、モデム１８０および公衆電話回線６３を介してプロバイダ６２を発呼して回線接続させることにより、コンピュータ端末１００を実質的に広域ネットワーク網５０に接続するものである。
【００３９】
また、ブラウザ１６０ｃは、上述したようにＨＴＭＬファイルなどのスクリプトファイルを読み込み、その記述内容に従って画面表示するものであり、実際にはブラウザ１６０ｃの表示画面上で所定のＵＲＬを入力することにより、対応するＨＴＭＬファイルを取得して読み込む。すなわち、ＵＲＬは読込対象となるＨＴＭＬファイルの所在を表していることになる。むろん、読込対象となるＨＴＭＬファイルが存在するのは、多くの場合、広域ネットワーク網５０上のＷＷＷサーバ７０などであり、ＵＲＬにはこのようなＷＷＷサーバ７０を識別するためのアドレスが含まれる。ここで、広域ネットワーク網５０上のＷＷＷサーバ７０からＨＴＭＬファイルを読み込むにあたっては、上述したダイヤルアップツール１６０ｂを起動してコンピュータ端末１００を実質的に広域ネットワーク網５０に接続すること必要である。
【００４０】
ここで、図６はコンピュータ端末１００が広域ネットワーク網５０に接続し、ブラウザ１６０ｃにてＷＷＷサーバ７０から所定のＨＴＭＬファイルの転送を行う場合のデータ転送量の変化を概略的に示している。
このとき、「時刻０」は利用者がモデム１８０を介して所定のＨＴＭＬファイルの読み込みを開始した時刻を示し、このＨＴＭＬファイルの読み込みに伴いデータ転送量が増加することを示すとともに、このＨＴＭＬファイルの読み込みが「時刻ｔ１」まで行われたことを示している。また、「時刻ｔ１」〜「時刻ｔ２」においてデータ転送量が低減している時間帯は、利用者が画面上に表示されているＨＴＭＬファイルの内容を閲覧している時間帯である。ここで、利用者が再び異なるＨＴＭＬファイルの読み込みを指定すると、ＷＷＷサーバ７０からの読み込みを開始し、「時刻ｔ２」〜「時刻ｔ３」に示すように、ＨＴＭＬファイルの転送に伴いデータの転送量が増加する。
【００４１】
ここで、上述した先読みツール１６０ｄは、ブラウザ１６０ｃに付随して動作するソフトウェアであり、「時刻ｔ１」〜「時刻ｔ２」または「時刻ｔ３」以降のようにデータ転送量が減少する時間帯を利用して、利用者が画面上にて閲覧しているＨＴＭＬファイルからリンク表示タグを抽出して、このリンク表示タグで指定されているＵＲＬに対応するＨＴＭＬファイルを利用者の閲覧とは別に先行して読み込み、すなわち先読みを実行し、所定の格納領域に格納するものである。このリンク表示タグの抽出は、所定の手順により設定されたキーワードを基準にして行われる。すなわち、この設定されたキーワードを内包するリンク表示タグにて指定されているＵＲＬに対応するＨＴＭＬファイルが先読みの対象となる。
【００４２】
先読みツール１６０ｄはブラウザ１６０ｃに付随して動作するソフトウェアであり、この先読みツール１６０ｄとブラウザ１６０ｃの動作について図７を参照しつつ説明する。
ブラウザ１６０ｃにて表示するＨＴＭＬファイルは、表示ファイル格納領域１６０ｃ１に格納されており、ブラウザ１６０ｃは適宜、格納されたＨＴＭＬファイルを読み出して表示を行う。しかし、ブラウザ１６０ｃにて指定されたＵＲＬに対応するＨＴＭＬファイルが表示ファイル格納領域１６０ｃ１に存在しないと、ブラウザ１６０ｃはこのＵＲＬを先読みツール１６０ｄに渡す。先読みツール１６０ｄは、先読みしたＨＴＭＬファイルを先読みファイル格納領域１６０ｄ１内で検索する。この場合、この先読みファイル格納領域１６０ｄ１にはＨＴＭＬファイルが格納されていないこととする。ブラウザ１６０ｃよりＵＲＬを入力した先読みツール１６０ｄは、先読みファイル格納領域１６０ｄ１に先読みしたＨＴＭＬファイルがないことを検知すると、該当するＷＷＷサーバ７０から対応するＨＴＭＬファイルを読み出す。そして、この読み出したＨＴＭＬファイルをブラウザ１６０ｃに渡し、ブラウザ１６０ｃは表示ファイル格納領域１６０ｃ１に格納しつつ、このＨＴＭＬファイルを表示する。
【００４３】
ここで、キーワード格納領域１６０ｄ４には、先読みツール１６０ｄがＷＷＷサーバ７０から読み込んだＨＴＭＬファイルに記述されているリンク表示タグを抽出するために設定されたキーワードが格納されており、その設定は図８または図９に示す画面にて行われる。この画面は先読みツール１６０ｄを起動して、所定の操作によりキーワード設定を選択すると、ブラウザ１６０ｃの表示とは別に画面に表示されるものである。図８に示すようにキーワード設定は複数のキーワードとこれらのキーワードを総称する識別子からなる。また、その設定は図９に示す画面にて識別子とこれに対応するキーワードを入力することにより行うことができる。そして、設定されたキーワードはキーワード格納領域１６０ｄ４にキーワードリスト１６０ｄ５の形式で格納される。このときのキーワードリスト１６０ｄ５は上位から「プレゼント」、「懸賞」、「応募」、「経済」、「雇用」、「環境」、「エネルギー」という順位にて格納される。
【００４４】
ところで、上述した先読みツール１６０ｄの読み込んだＨＴＭＬファイルが図１０に示すような「ニュース」のホームページであるとする。このとき、リンク表示タグは「雇用」、「エネルギー」、「経済」、「環境」、「プレゼント」と画面表示されている部分であり、このリンク表示タグを選択することにより、それぞれのＨＴＭＬファイルを読み出しつつ表示可能になっている。そして、先読みツール１６０ｄはこのＨＴＭＬファイルからキーワードリスト１６０ｄ５に格納されているキーワードを含むリンク表示タグを抽出し、抽出したリンク表示タグのＵＲＬをキーワードリスト１６０ｄ５と同じ優先順位に並べ替え、先読みの対象となる先読み対象ＵＲＬリスト１６０ｄ３を作成する。そして、先読み対象ＵＲＬリスト格納領域１６０ｄ２に格納する。
【００４５】
より具体的に、この先読み対象ＵＲＬリスト１６０ｄ３の作成方法を説明する。図１０に示すＨＴＭＬファイルは、概略、図１１に示すようなスクリプトが記述されている。従って、画面に表示されている「雇用」、「エネルギー」、「経済」、「環境」、「プレゼント」のリンク表示タグは、リンク制御文と、リンク先のＨＴＭＬファイルの所在を示すＵＲＬと、画面に表示する語句とから構成されていることがわかる。すわなち、“＜Ａ  ＨＲＥＦ＝＞”がリンク設定制御文に該当し、“ｎｅｗｓ／ｋｏｙｏｕ／ｉｎｄｅｘ．ｈｔｍ”がリンク先のＨＴＭＬファイルの所在を示すＵＲＬに該当するとともに、“雇用”が画面に表示する表示語句に該当する。
【００４６】
ここで、上述した先読みツール１６０ｄは、ＨＴＭＬファイルについてスクリプトの先頭からリンク設定制御文を検索し、リンク設定制御文を検知すると付随する表示語句を抽出する。このようにして、表示語句「雇用」、「エネルギー」、「経済」、「環境」、「プレゼント」をスクリプトから抽出する。そして、キーワードリスト１６０ｄ５に格納されているキーワードを上位から順次読み出し、読み出したキーワードを内包する表示語句を抽出する。この場合は、表示語句の全てがキーワードに含まれるものであるため、全てが抽出される。そして、この抽出された表示語句「雇用」、「エネルギー」、「経済」、「環境」、「プレゼント」は、キーワードの優先順位に合わせて「プレゼント」、「経済」、「雇用」、「環境」、「エネルギー」の順に並べかえられ、対応するリンク先のＨＴＭＬファイルの所在を示すＵＲＬとともに先読み対象ＵＲＬリスト１６０ｄ３として先読み対象ＵＲＬリスト格納領域１６０ｄ２に格納される。
【００４７】
先読みツール１６０ｄは、所定のタイミング、通常は上述したように利用者がＨＴＭＬファイルを閲覧中にこの先読み対象ＵＲＬリスト１６０ｄ３の先頭のＵＲＬを読み出して該当するＷＷＷサーバ７０より対応するＨＴＭＬファイルを読み出し、先読みファイル格納領域１６０ｄ１に格納する。この格納が完了すると、先読みツール１６０ｄは、当該ＵＲＬを先読み対象ＵＲＬリストから削除し、次ＵＲＬリスト以降を前詰する。そして、順次、上述した所定のタイミングにて先読みを実施し、同様に先読みファイル格納領域１６０ｄ１に格納する。
【００４８】
ここで、図１０の画面からリンク表示タグ「プレゼント」を選択すると、ブラウザ１６０ｃは表示ファイル格納領域１６０ｃ１を参照し、該当するＨＴＭＬファイルが存在しないため、このリンク表示タグ「プレゼント」に記述されているＵＲＬを先読みツール１６０ｄに渡す。そして、先読みツール１６０ｄは先読みファイル格納領域１６０ｄ１を参照し、このＵＲＬに該当するＨＴＭＬファイルが存在するか否かを確認する。上述したように、この先読みファイル格納領域１６０ｄ１には、リンク表示タグ「プレゼント」に該当するＨＴＭＬファイルが先読みされて格納されているため、該当するＷＷＷサーバ７０にアクセスすることなくこの先読みファイル格納領域１６０ｄ１からリンク表示タグ「プレゼント」に対応するＨＴＭＬファイルを読み出すとともにブラウザ１６０ｃに渡す。そして、ブラウザ１６０cは、この渡されたＨＴＭＬファイルを表示ファイル格納領域１６０ｃ１に格納しつつ表示することになる。
【００４９】
図１２は、先読みツール１６０ｄがブラウザ１６０ｃからＵＲＬ読み出し要求を入力されたときに実行するＨＴＭＬファイル読み出し処理をフローチャートにより示している。
ブラウザ１６０ｃにおいて任意のＵＲＬあるいは、閲覧中のＨＴＭＬファイルのリンク表示タグが指定されると、このＵＲＬが先読みツール１６０ｄに渡される。そして、先読みツール１６０ｄは、このＵＲＬに対応するＨＴＭＬファイルが先読みファイル格納領域１６０ｄ１に既に格納されているか確認する（ステップＳ１００）。格納されている場合は、新規にＷＷＷサーバ７０から対応するＨＴＭＬファイルを読み出す必要がないため、先読みファイル格納領域１６０ｄ１に格納されているＨＴＭＬファイルをブラウザ１６０ｃに渡す（ステップＳ１３５）。格納されていない場合は、新規にＷＷＷサーバ７０から読み出す必要がある。
【００５０】
しかし、ブラウザ１６０ｃからのＨＴＭＬファイル読み出し要求によるＷＷＷサーバ７０からのＨＴＭＬファイル読み出しと、先読みツール１６０ｄにおける先読み対象のＨＴＭＬファイルのＷＷＷサーバ７０からの読み出しは非同期にて実行され、ブラウザ１６０ＣからのＨＴＭＬファイル読み出し要求によるＷＷＷサーバ７０からのＨＴＭＬファイル読み出しが優先されるため、先読みツール１６０ｄにて先読み動作が実行されているか否かを判別し（ステップＳ１０５）、先読み処理が実行されている場合はこの先読み処理を停止する（ステップＳ１１０）。
【００５１】
そして、ブラウザ１６０ｃから読み出し要求のあったＵＲＬに該当するＷＷＷサーバ７０から対応するＨＴＭＬファイルを読み出す（ステップＳ１１５）。次に、このＨＴＭＬファイルに対して後述する先読み対象ＵＲＬリスト作成処理を実行し、先読み対象ＵＲＬリスト１６０ｄ３を作成するとともに、先読み対象ＵＲＬリスト格納領域１６０ｄ２に格納し（ステップＳ１３０）、このＨＴＭＬファイルをブラウザ１６０ｃに渡す（ステップＳ１３５）。これにより、ブラウザ１６０Ｃは、このＨＴＭＬファイルの内容を表示するとともに、利用者はこの内容を閲覧することができるようになる。
【００５２】
図１３は、上述した先読み対象ＵＲＬリスト作成処理の処理内容をフローチャートに示している。
先読みツール１６０ｃは読み出したＨＴＭＬファイルに記述されている全てのリンク表示タグの表示語句を抽出する（ステップＳ２００）とともに、キーワード格納領域１６０ｄ４に格納されているキーワードリスト１６０ｄ５の先頭キーワードを読み出す（ステップＳ２０５）。ここで、抽出したリンク表示タグの表示語句にこのキーワードと一致するものあるいはキーワードを含むものが存在するかを判別し（ステップＳ２１５）、一致するあるいは含むものが存在する場合は、該当するリンク表示タグからＵＲＬを読み出す（ステップＳ２２０）。そして、全てのキーワードについて判別が終了したかを確認し（ステップＳ２３０）、終了していなければ、キーワードリスト１６０ｄ５の次順位のキーワードを読み出し（ステップＳ２２５）、ステップＳ２１５以降を繰り返す。全てのキーワードについて判別が終了すると、キーワードの優先順位に並べ替えて先読み対象ＵＲＬリスト１６０ｄ３を作成し(ステップＳ２３５）、先読み対象ＵＲＬリスト格納領域１６０ｄ２に格納する（ステップＳ２４０）。
【００５３】
ここで、ブラウザ１６０ｃはプロキシサーバの設定を行うことができるようになっている。そして、ブラウザ１６０ｃは、このプロキシサーバが設定されている場合には、上記のようにして入力されたＵＲＬに該当するＨＴＭＬファイルを取得する際に、直接対象となるＷＷＷサーバ７０からＨＴＭＬファイルを取得するのではなく、設定されているプロキシサーバを介してＨＴＭＬファイルを取得する。そして、プロキシサーバはブラウザ１６０ｃにそのファイルを渡す。かかるプロキシサーバは、多くの場合、社内ＬＡＮなどが構築されている場合に、そのＬＡＮ上に配置されＬＡＮ上のＰＣからのデータ取得リクエストを受信して上記の動作を行う。
【００５４】
本実施形態においては、先読みツール１６０ｄがプロキシサーバ的な役割を果たしている。すなわち、ブラウザ１６０ｃは、プロキシサーバとして先読みツール１６０ｄを設定可能であり、利用者からのＵＲＬの入力を受けて対応するＨＴＭＬファイルが表示ファイル格納領域１６０ｃ１に存在しなければ、先読みツール１６０ｄに対してＵＲＬを渡す。そして、この先読みツール１６０ｄがブラウザ１６０ｃから渡されたＵＲＬに基づいて対応するＨＴＭＬファイルを取得してブラウザ１６０ｃに渡し、このブラウザ１６０ｃにて受け取ったファイルに基づいて画面表示する。
【００５５】
また、本実施形態においては、図８・図９に示すキーワードの設定画面により利用者がキーワードを手入力し、このキーワードからリンク表示タグを抽出する構成を採用しているが、このような構成に限定されるものではなく、ＨＴＭＬファイルに記述されている文章を解析して、この文章に含まれる語句を所定の手法により特徴のあるキーワードとして自動抽出するとともに、この抽出したキーワードに基づいてリンク表示タグを抽出する構成であってもよい。このとき、抽出されたキーワードは、図７の鎖線に示すようにキーワード格納領域１６０ｄ４にキーワードリスト１６０ｄ５の形式にて格納される。ここで、このキーワードリストへの格納順は、上述した文章に多く含まれる語句、すなわち、抽出される回数が多い語句から昇順にキーワードとして優先順位を付けて格納する。これにより、ＨＴＭＬファイルに記述されている主記載事項に関連したＨＴＭＬファイルを先読みすることが可能になる。
さらに、利用者における所定のＵＲＬへのアクセス間隔，アクセス頻度に基づいて先読みするＨＴＭＬファイルを指定する手法であってもよい。かかる場合、利用者がブラウザで表示したＵＲＬのアクセス日付を履歴として保持し、当該ＵＲＬに対するアクセス間隔，アクセス頻度を算出する。そして、このアクセス間隔，アクセス頻度に基づいてこのアクセス間隔，アクセス頻度にかかるＵＲＬを先読みしたり、利用者が所定のサーバにアクセスしたときに、当該サーバに存在する上記アクセス間隔，アクセス頻度にかかるＵＲＬを指定して先読みする構成であってもよい。
【００５６】
【００５７】
このような、キーワードを自動抽出して先読みする処理は図１２のフローチャートに示す鎖線ステップＳ３００にて実行する。このキーワード自動抽出処理の処理内容を図１４のフローチャートに示す。
先読みツール１６０ｄは読み込んだＨＴＭＬファイルに記述されている文章を抽出する。この抽出はＨＴＭＬファイルに記述されているタグに囲まれている箇所を抽出することにより実現できる（ステップＳ４００）。そして、この抽出した文章の構文を解析し、助詞・形容詞・一般的な名詞等を削除して特徴のある語句をキーワードとして抽出する（ステップＳ４０５）。このキーワードはその出現頻度とともに管理され、キーワードリスト１６０ｄ５にはこの出現頻度が多いキーワードを先頭にして昇順に並べられキーワードリスト１６０ｄ５が作成される。
【００５８】
本実施形態においては、上述したように先読みツール１６０ｄが読み込んだＨＴＭＬファイルにおけるリンク表示タグを抽出し、これにより所定のＨＴＭＬファイルを先読みする構成を採用しているが、このように先読み対象をＨＴＭＬファイルに記述されているリンク表示タグに限定することはなく、多くのブラウザが有するブックマーク機能に登録されたリンク先も先読み対象ＵＲＬリストを作成する対象に含める構成であってもよい。
【００５９】
このとき、先読みツール１６０ｄは読み出したＨＴＭＬファイルのリンク表示タグとブックマーク機能に登録されたＵＲＬの見出し文とから上述した手法によりキーワードを自動抽出して先読み対象ＵＲＬリストを作成する構成であってもよいし、図８および図９により設定されたキーワードを基準にして先読みツール１６０ｄが読み出したＨＴＭＬファイルのリンク表示タグとブックマーク機能に登録されたＵＲＬの見出し文とから先読み対象を抽出する構成であってもよい。また、単にＨＴＭＬファイルに記述されるリンク表示タグのＵＲＬを記述順に先読み対象とするとともに、この先読みが完了するとブックマーク機能に登録されたＵＲＬを先読み対象にする構成であってもよい。
【００６０】
次に、上記のように構成した本実施形態の動作について説明する。
利用者はダイヤルアップツール１６０ｂを起動し、公衆電話回線６３およびプロバイダ６２を介してコンピュータ端末１００を広域ネットワーク網５０に接続した後、ブラウザ１６０ｃを起動して、図１０に示す「ニュース」のＵＲＬを入力する。すると、ブラウザ１６０ｃは、このＵＲＬに該当するＨＴＭＬファイルが表示ファイル格納領域１６０ｃ１に格納されているかを確認し、対応するＨＴＭＬファイルを検知すると、同表示ファイル格納領域１６０ｃ１からＨＴＭＬファイルを読み出すとともに画面に表示する。そして、利用者はこの表示された「ニュース」のＨＴＭＬファイルを閲覧する。ここで、対応するＨＴＭＬファイルが表示ファイル格納領域１６０ｃ１に存在しない場合、ブラウザ１６０ｃはこのＵＲＬを先読みツール１６０ｄに出力する。そして、先読みツール１６０ｄは、先読みファイル格納領域１６０ｄ１に格納された先読みファイルの内容を参照し、対応するＨＴＭＬファイルが先読みファイル格納領域１６０ｄ１に存在するか否かを検知する。
【００６１】
また、対応するファイルが先読みファイル格納領域１６０ｄ１に存在しなかったとすると、先読みツール１６０ｄは、入力されたＵＲＬを広域ネットワーク網５０に出力する。すると、この出力は広域ネットワーク網５０上にて適宜ルーティングされてＷＷＷサーバ７０に到達し、このＷＷＷサーバ７０から対応するＨＴＭＬファイルが先読みツール１６０ｄに転送される（ステップＳ１００〜Ｓ１１５）。そして、先読みツール１６０ｄはこの読み出したＨＴＭＬファイルについて先読み対象ＵＲＬリスト作成処理を実行する（ステップＳ１３０）。すなわち、図８および図９にて設定されることにより、キーワードリスト１６０ｄ５に格納されるキーワードを基準にして図１０に画面表示されているリンク表示タグの順序について並べ替えを実施し、先読み対象ＵＲLリスト１６０ｄ３を作成する。この場合は、設定されたキーワードが上位より「プレゼント」、「懸賞」、「応募」、「経済」、「雇用」、「環境」、「エネルギー」であるため、先読み対象ＵＲＬリスト１６０ｄ３は先頭が「プレゼント」になり、以降、「経済」、「雇用」、「雇用」、「環境」、「エネルギー」の順にリスト化される。
【００６２】
次に、このＨＴＭＬファイルをブラウザ１６０ｃに渡し（ステップＳ１３５）、ブラウザ１６０ｃは、渡されたＨＴＭＬファイルを表示ファイル格納領域１６０ｃ１に格納するとともに、同ＨＴＭＬファイルを読み込んで適宜画面表示を行い、利用者はこの「ニュース」のＨＴＭＬファイルを閲覧する。そして、この閲覧中に先読みツール１６０ｄは、キーワードリスト１６０ｄ５に設定されているキーワードを基準にして作成された先読み対象ＵＲＬリストの先頭ＵＲＬに対応するＨＴＭＬファイルの読み出しを開始し、優先順に従って順次先読み対象ＵＲＬに対応するＨＴＭＬファイルを読み出し、先読みファイル格納領域１６０ｄ１に格納していく。
【００６３】
ここで、利用者が「ニュース」の閲覧中に「プレゼント」のリンク表示タグを選択すると、ブラウザ１６０Ｃは、この選択を先読みツール１６０ｄに出力する。ここで、この「プレゼント」は先読み対象として優先順位が一番のため、最初に先読みされ、先読みファイル格納領域１６０ｄ１に格納されている。従って、先読みツール１６０ｄは、この選択を入力するとＷＷＷサーバ７０にはアクセスすることなく先読みファイル格納領域１６０ｄ１から対応するＨＴＭＬファイルを読み出し、ブラウザ１６０ｃに渡す。これにより、利用者は「プレゼント」のＨＴＭＬファイルを閲覧することができる。
【００６４】
このように、ブラウザ１６０ｃにてプロキシ設定された先読みツール１６０ｄは、利用者が図１０に示す「ニュース」のＨＴＭＬファイルを閲覧中に、キーワードリスト１６０ｄ５に設定されたキーワードまたはこのＨＴＭＬファイルに含まれる特徴ある語句をキーワードにして、このＨＴＭＬファイルのリンク表示タグあるいは、ブラウザ１６０ｃのブックマーク機能に登録されているＵＲＬから先読み対象となるＵＲＬを抽出し、この抽出されたＵＲＬに対応するＨＴＭＬファイルを先読みして格納することが可能になる。
【００６５】
従って、ブラウザ１６０ｃからのＵＲＬの出力に応じて該当ファイルが先読みファイル格納領域１６０ｄ１に存在する場合は、先読みファイル格納領域１６０ｄ１から取得するため、利用者が閲覧中のＨＴＭＬファイルにてリンク表示タグを選択するとＷＷＷサーバ７０にアクセスする必要がなく、ブラウザ１６０ｃの画面表示速度を向上させつつ、広域ネットワーク網５０に対する接続時間を有効に利用することができる。
【００６６】
また、上述した設定されるキーワードは利用者の興味のある語句が設定されることが予想されるため、利用者の興味のあるリンク表示タグに対応するＨＴＭＬファイルが優先して先読みされ、実際に利用者が指定するリンク対象タグに対応するＨＴＭＬファイルと先読みしたＨＴＭＬファイルが一致する頻度を高めることが可能になる。
【図面の簡単な説明】
【図１】  本発明の一実施形態にかかる画面表示データ読込装置をクレーム対応図である。
【図２】  同画面表示データ読込装置が広域ネットワーク網に接続される全体像を概略的に示している概略接続図である。
【図３】  同広域ネットワーク網に設置されるＷＷＷサーバ７０の概略構成を示す概略構成図である。
【図４】  同広域ネットワーク網に設置されるコンピュータ端末１００の構成図である。
【図５】  同コンピュータ端末１００のハードディスク１６０に搭載されるソフトウェアの構成を示した構成図である。
【図６】  同コンピュータ端末１００がＨＴＭＬファイルの転送を行う場合のデータ転送量の変化を概略的に示しているデータ転送量時系列図である。
【図７】  同コンピュータ端末１００の内部構成を示した詳細構成図である。
【図８】  キーワード設定画面図である。
【図９】  キーワード設定画面図である。
【図１０】  先読みツール１６０ｄの読み込んだＨＴＭＬファイルの表示内容を示す画面図である。
【図１１】  ＨＴＭＬファイルの概略スクリプト示した図である。
【図１２】  先読みツール１６０ｄがブラウザ１６０ｃからＵＲＬ読み出し要求を入力したときに実行するＨＴＭＬファイル読み出し処理の処理内容を示すフローチャートである。
【図１３】  先読みツール１６０ｄが実行する先読み対象ＵＲＬリスト作成処理の処理内容を示したフローチャートである。
【図１４】  先読みツール１６０ｄが実行するキーワード自動抽出処理の処理内容を示したフローチャートである。
【符号の説明】
１６０ｃ・・・ブラウザ
１６０ｃ１・・・表示ファイル格納領域
１６０ｄ・・・先読みツール
１６０ｄ１・・・先読みツール格納領域
１６０ｄ２・・・先読み対象ＵＲＬリスト格納領域
１６０ｄ３・・・先読み対象ＵＲＬリスト
１６０ｄ４・・・キーワード格納領域
１６０ｄ５・・・キーワードリスト
【図１】
0003912464.tif 000002
【図２】
0003912464.tif 000003
【図３】
0003912464.tif 000004
【図４】
0003912464.tif 000005
【図５】
0003912464.tif 000006
【図６】
0003912464.tif 000007
【図７】
0003912464.tif 000008
【図８】
0003912464.tif 000009
【図９】
0003912464.tif 000010
【図１０】
0003912464.tif 000011
【図１１】
0003912464.tif 000012
【図１２】
0003912464.tif 000013
【図１３】
0003912464.tif 000014
【図１４】
0003912464.tif 000015